(57)【要約】      （修正有）【課題】使用者、特に発達障害児の集中力を向上させることができる衝立に組立可能である衝立用シート材を提供する。【解決手段】衝立用シート材は、机上に設置して用いる衝立に組立可能な衝立用シート材であって、奥壁３１を構成する奥面パネルと、奥面パネルの両端に接続され、側壁３２を構成する一対の側面パネルと、一対の側面パネル間に架け渡され、天壁３３を構成する天面パネルとを備え、組立状態で、天壁３３と奥壁３１との間に天面空間３ｃを有する。【選択図】図３
0003232712.tif 000002
【実用新案登録請求の範囲】
【請求項１】
机上に設置して用いる衝立に組立可能な衝立用シート材であって、
奥壁を構成する奥面パネルと、
上記奥面パネルの両端に接続され、側壁を構成する一対の側面パネルと、
上記一対の側面パネル間に架け渡され、天壁を構成する天面パネルとを備え、
組立状態で、上記天壁と上記奥壁との間に天面空間を有する衝立用シート材。
【請求項２】
上記天面パネルの前縁が、その中央に位置し上記奥壁方向へ湾曲する弧状部を有する請求項１に記載の衝立用シート材。
【請求項３】
上記一対の側面パネルが、それぞれ前縁下方に切り欠きを有し、
上記切り欠きが、上記側面パネルの前縁下方に向かって拡幅している請求項１又は請求項２に記載の衝立用シート材。
【請求項４】
上記奥面パネルの高さが、４００ｍｍ以上６００ｍｍ以下であり、
上記奥面パネルの幅が、５００ｍｍ以上７００ｍｍ以下であり、
上記一対の側面パネルの高さが、上記奥面パネルの高さと等しく、
上記一対の側面パネルの幅が、４００ｍｍ以上６００ｍｍ以下である請求項１、請求項２又は請求項３に記載の衝立用シート材。
【請求項５】
上記天面空間の平面視形状が、上記天壁と、上記奥壁と、上記一対の側壁で画定される方形状であり、
上記天面空間の奥行が、２００ｍｍ以上３００ｍｍ以下である請求項１から請求項４のいずれか１項に記載の衝立用シート材。
【考案の詳細な説明】
【技術分野】
【０００１】
本考案は、衝立用シート材に関する。
【背景技術】
【０００２】
机上に置いて使用する衝立として、例えばオンライン会議を行うための音声を発する装置の周囲に立設される防音ブースが知られている（実用新案登録第３２２８４５２号公報参照）。
【０００３】
この防音ブースは、音声を発する装置の背後に設置される背板パネル及び左右側方に設置される側板パネルを有する衝立パネルと、衝立パネルの上方に設置される天板パネルとを備えている。
【先行技術文献】
【特許文献】
【０００４】
【特許文献１】実用新案登録第３２２８４５２号公報
【考案の概要】
【考案が解決しようとする課題】
【０００５】
上記防音ブースは、オンライン会議を行う人の声やパソコンのスピーカーから流れる音声が、周囲に響くのを抑制し、周囲の人に対して集中力の低下や作業効率の低下を招くことを抑止する。このように机上に置いて使用する従来の衝立は、衝立の外部、すなわち周囲の人に対して配慮して用いられるものであり、衝立の使用者自身の集中力向上等を積極的に考慮するものではない。
【０００６】
本考案は、このような事情に鑑みてなされたものであり、使用者、特に発達障害児の集中力を向上させることができる衝立に組立可能な衝立用シート材の提供を課題とする。
【課題を解決するための手段】
【０００７】
本考案の一態様に係る衝立用シート材は、机上に設置して用いる衝立に組立可能な衝立用シート材であって、奥壁を構成する奥面パネルと、上記奥面パネルの両端に接続され、側壁を構成する一対の側面パネルと、上記一対の側面パネル間に架け渡され、天壁を構成する天面パネルとを備え、組立状態で、上記天壁と上記奥壁との間に天面空間を有する。
【考案の効果】
【０００８】
本考案の衝立用シート材は、使用者、特に発達障害児の集中力を向上させることができる衝立に組立可能である。
【図面の簡単な説明】
【０００９】
【図１】図１は、本考案の一実施形態に係る衝立用シート材の衝立本体シートを示す模式的平面図である。
【図２】図２は、本考案の一実施形態に係る衝立用シート材の天面シートを示す模式的平面図である。
【図３】図３は、図１及び図２に示す衝立用シート材を組み立てて構成される衝立を示す模式的斜視図である。
【００１０】
［本考案の実施形態の説明］
最初に本考案の実施態様を列記して説明する。
【００１１】
本考案の一態様に係る衝立用シート材は、机上に設置して用いる衝立に組立可能な衝立用シート材であって、奥壁を構成する奥面パネルと、上記奥面パネルの両端に接続され、側壁を構成する一対の側面パネルと、上記一対の側面パネル間に架け渡され、天壁を構成する天面パネルとを備え、組立状態で、上記天壁と上記奥壁との間に天面空間を有する。
【００１２】
当該衝立用シート材により組み立てられる衝立は、奥壁、左右の側壁及び天壁により周囲を取り囲むので、その内部空間に頭部を入れた際、視覚あるいは聴覚により感じ取られる衝立の外部からの情報が遮断され易く、これらの情報により気が散ることを抑止できる。また、上記衝立は、天壁と奥壁との間に天面空間を有するので、この天面空間が採光窓として機能し、頭部を上記内部空間に入れた使用者の前方より採光することができる。このため、使用者は、上記内部空間で作業を持続的に行うことができる。従って、当該衝立用シート材を組み立てた衝立は、使用者の集中力を向上させることができる。
【００１３】
上記天面パネルの前縁が、その中央に位置し上記奥壁方向へ湾曲する弧状部を有するとよい。このように上記天面パネルの前縁の中央に上記奥壁方向へ湾曲する弧状部を設けることで、天壁による外部からの情報遮断効果を維持しつつ、使用者が頭部を上記内部空間に入れ易くすることができる。
【００１４】
上記一対の側面パネルが、それぞれ前縁下方に切り欠きを有し、上記切り欠きが、上記側面パネルの前縁下方に向かって拡幅しているとよい。このように上記一対の側面パネルの前縁下方にそれぞれ切り欠きを設け、上記切り欠きを上記側面パネルの前縁下方に向かって拡幅させることで、使用者が両腕を上記内部空間に入れて作業をする際に、上記両腕と上記一対の側面パネルとが干渉することによる集中力の低下を抑止できる。
【００１５】
上記奥面パネルの高さとしては、４００ｍｍ以上６００ｍｍ以下が好ましく、上記奥面パネルの幅としては、５００ｍｍ以上７００ｍｍ以下が好ましく、上記一対の側面パネルの高さとしては、上記奥面パネルの高さと等しいことが好ましく、上記一対の側面パネルの幅としては、４００ｍｍ以上６００ｍｍ以下が好ましい。上述の寸法を採用することで、使用者が作業をするに十分な内部空間を確保しつつ、外部からの情報を効果的に遮断し、使用者の集中力を向上させることができる。
【００１６】
上記天面空間の平面視形状が、上記天壁と、上記奥壁と、上記一対の側壁で画定される方形状であり、上記天面空間の奥行としては、２００ｍｍ以上３００ｍｍ以下が好ましい。上記天面空間の平面視形状及び奥行を上述のように設定することで、天壁による外部からの情報遮断効果を維持しつつ、上記天面空間からの採光量を増やすことができる。
【００１７】
なお、本考案において、「上」及び「下」とは、衝立用シート材を組み立ててなる衝立を机上に設置した一般的な使用態様における上下を意味する。これらは、上記衝立の使用時の向きを制限することを企図するものではない。さらに「前」及び「後」とは、上記衝立の中心からみて、それぞれ奥壁と反対側方向及び奥壁側方向を指す。
【００１８】
［本考案の実施形態の詳細］
以下、本考案の実施形態に係る衝立用シート材及び衝立について適宜図面を参照しつつ説明する。
【００１９】
図１及び図２に示す衝立用シート材は、衝立本体シート１及び天面シート２を有し、図３に示すように、机上に設置して用いる衝立３に組立可能な衝立用シート材である。また、衝立本体シート１は、奥面パネル１１と、一対の側面パネル１２と、一対の第１接続片１３とを備え、天面シート２は、天面パネル２１と、第２接続片２２とを備える。
【００２０】
＜シート材＞
当該衝立用シート材を構成するシート材としては、例えば段ボールシート、プラスチックボード、ボール紙等を用いることができ、中でも段ボールシートが好適に用いられる。以下、当該衝立用シート材が段ボールシートからなる場合を例にとり説明するが、上記シート材が段ボールシートに限定されることを企図するものではない。
【００２１】
上記段ボールシートとしては、１枚の中芯の両側を一対のライナーで挟み込んだものだけでなく、３枚のライナーの間にそれぞれ中芯が挟み込まれたいわゆるダブルフルートであってもよく、あるいは中芯の片側にのみライナーが貼着されたいわゆる片面段ボールであってもよい。
【００２２】
上記シート材の厚さの下限としては、強度の観点から、３ｍｍが好ましい。一方、シート材の厚さの上限としては、特に限定されないが、衝立３への組立の容易性から８ｍｍが好ましい。
【００２３】
＜奥面パネル＞
奥面パネル１１は、衝立３の奥壁３１を構成する。奥面パネル１１は、図１に示すように、略方形状である。
【００２４】
奥面パネル１１の高さ（図１のｙ方向の長さ）の下限としては、４００ｍｍが好ましく、４５０ｍｍがより好ましい。一方、奥面パネル１１の高さの上限としては、６００ｍｍが好ましく、５５０ｍｍがより好ましい。また、奥面パネル１１の幅（図１のｘ方向の長さ）の下限としては、５００ｍｍが好ましく、５５０ｍｍがより好ましい。一方、奥面パネル１１の幅の上限としては、７００ｍｍが好ましく、６５０ｍｍがより好ましい。奥面パネル１１の高さ又は幅が上記下限未満であると、衝立３（奥面パネル１１、一対の側面パネル１２及び天面パネル２１）により囲まれる内部空間３ａが狭くなり過ぎ、使用者が作業を行い難くなるおそれがある。逆に、奥面パネル１１の高さ又は幅が上記上限を超えると、内部空間３ａの個室感が低下し、使用者の集中力を低下させるおそれがある。
【００２５】
＜側面パネル＞
一対の側面パネル１２は、奥面パネル１１の左右方向（図１のｘ方向）両端に接続され、衝立３の側壁３２を構成する。一対の側面パネル１２は、図１に示すように、略方形状であり、同等の大きさとされる。従って、衝立３は、図３に示すように、奥面パネル１１及び一対の側面パネル１２により、三方向に立設するコ字状の壁を構成し、前方（他の一方向）に開口３ｂを有する。なお、「左右方向」とは、衝立用シート材を組み立ててなる衝立を机上に設置した一般的な使用態様における水平方向を意味する。
【００２６】
一対の側面パネル１２の高さは、奥面パネル１１の高さと等しいことが好ましい。このように一対の側面パネル１２の高さを奥面パネル１１の高さと等しくすることで、側方からに隙間が生じないため、衝立３の外部からの情報が遮断され易く、使用者の集中力を向上させることができる。
【００２７】
一対の側面パネル１２の幅の下限としては、４００ｍｍが好ましく、４５０ｍｍがより好ましい。一方、一対の側面パネル１２の幅の上限としては、６００ｍｍが好ましく、５５０ｍｍがより好ましい。側面パネル１２の幅が上記下限未満であると、衝立３により囲まれる内部空間３ａが狭くなり過ぎ、使用者が作業を行い難くなるおそれがある。逆に、側面パネル１２の幅が上記上限を超えると、内部空間３ａの個室感が低下し、使用者の集中力を低下させるおそれがある。
【００２８】
一対の側面パネル１２は、それぞれ前縁下方に切り欠き１２ａを有する。切り欠き１２ａは、側面パネル１２の前縁下方に向かって拡幅しているとよい。例えば図１に示す切り欠き１２ａでは、側面パネル１２の前縁と滑らかに連続し、前方に凸の第１円弧１２ｘと、この第１円弧１２ｘに滑らかに連続し、後方に凸の第２円弧１２ｙとから構成されている。なお、切り欠き１２ａの構成は、この形状に限定されるものではない。
【００２９】
このように一対の側面パネル１２の前縁下方にそれぞれ切り欠き１２ａを設け、切り欠き１２ａを側面パネル１２の前縁下方に向かって拡幅させることで、使用者が両腕を内部空間３ａに入れて作業をする際に、上記両腕と一対の側面パネル１２とが干渉することによる集中力の低下を抑止できる。
【００３０】
切り欠き１２ａの高さ（図１の切り欠き１２ａでは、側面パネル１２の前縁下端から第１円弧１２ｘが側面パネル１２の前縁と連続する位置までの距離）の下限としては、１５０ｍｍが好ましく、２００ｍｍがより好ましい。一方、切り欠き１２ａの高さの上限としては、３００ｍｍが好ましく、２５０ｍｍがより好ましい。切り欠き１２ａの高さが上記下限未満であると、使用者の両腕と一対の側面パネル１２とが干渉し易くなるおそれがある。逆に、切り欠き１２ａの高さが上記上限を超えると、内部空間３ａの個室感が低下し、使用者の集中力を低下させるおそれがある。
【００３１】
切り欠き１２ａの下端の幅（図１の切り欠き１２ａでは、第２円弧１２ｘの上端から側面パネル１２の下縁の延長線上に降ろした垂線の足と、側面パネル１２の下縁前端との間の距離）の下限としては、１００ｍｍが好ましく、１２０ｍｍがより好ましい。一方、切り欠き１２ａの下端の幅の上限としては、１５０ｍｍが好ましく、１３０ｍｍがより好ましい。切り欠き１２ａの幅が上記下限未満であると、使用者の両腕と一対の側面パネル１２とが干渉し易くなるおそれがある。逆に、切り欠き１２ａの幅が上記上限を超えると、内部空間３ａの個室感が低下し、使用者の集中力を低下させるおそれがある。
【００３２】
＜第１接続片＞
一対の第１接続片１３は、一対の側面パネル１２の上縁前方から上方に延出し、後述する第２接続片２２と嵌合して、天面パネル２１を下方から支持し、衝立３の上面に固定する。一対の第１接続片１３は、図１に示すように、略方形状であり、同等の大きさとされる。
【００３３】
第１接続片１３の延出長さ（図１のｙ方向の長さ）の下限としては、４０ｍｍが好ましく、４５ｍｍがより好ましい。一方、第１接続片１３の延出長さの上限としては、６０ｍｍが好ましく、５５ｍｍがより好ましい。第１接続片１３の延出長さが上記下限未満であると、天面パネル２１を十分に支持できないおそれがある。逆に、第１接続片１３の延出長さが上記上限を超えると、不要に大きくなり過ぎ、シート材の浪費につながるおそれがある。
【００３４】
第１接続片１３の幅（延出方向と垂直な方向の長さで、図１のｘ方向の長さ）は、天面パネル２１の幅以下とすることが好ましく、天面パネル２１の幅と等しくすることがより好ましい。
【００３５】
第１接続片１３は、上縁両端が角取りされていることが好ましい。特に第１接続片１３の幅を天面パネル２１の幅と等しくとる場合、第１接続片１３の上縁両端の角が、例えば位置ずれ等により天面パネル２１の前後に露出した際に、使用者に当接しても使用者に不快感を与え難い。
【００３６】
また、第１接続片１３の前縁は、側面パネル１２の前縁から延出していることが好ましい。このとき、天面パネル２１も前縁が側面パネル１２の前縁と前後方向の位置が一致するように配置され、内部空間３ａの個室感を高めることができる。
【００３７】
第１接続片１３は、下縁中央部に第２接続片２２が嵌合するスリット１３ａを有する。スリット１３ａは、第２接続片２２が固定可能な大きさとされ、具体的にはスリット１３ａの長さ（図１のｘ方向の長さ）は、第２接続片２２の長さと同等もしくは若干長い長さとされる。スリット１３ａの幅は、第１接続片１３を内側へ折り曲げた状態で、第２接続片２２（すなわちシート材）の厚さと同等もしくは若干厚い厚さとされる。スリット１３ａの下縁は、側面パネル１２の上縁の延長線上に位置するとよい。
【００３８】
また、第１接続片１３は、スリット１３ａの両端又はその延長線上から側面パネル１２の上縁に平行に延びる折曲容易線１３ｂを有する。折曲容易線１３ｂは、例えばスリット１３ａの下縁に連続して位置してもよいが、図１に示すように、側面パネル１２の上縁よりシート材の厚み程度下方に位置することが好ましい。このように折曲容易線１３ｂを位置させることで、天面パネル２１を取り付けた際、側面パネル１２の上縁と天面パネル２１の上面とを同一平面上に位置させることができる。なお、この場合、折曲容易線１３ｂの端部と、側面パネル１２の上縁の前端部及びスリット１３ａの下縁の両端部との間には、切れ込み１３ｃが設けられる。このとき、折曲容易線１３ｂで第１接続片１３を折り曲げると、スリット１３ａに隣接する微小な凸部１３ｄが側面パネル１２の上縁から突出し、天面パネル２１を取り付けた際に、天面パネル２１の側方から天面パネル２１に当接する。これにより天面パネル２１が左右方向に動くことを抑止することができる。
【００３９】
＜天面パネル＞
天面パネル２１は、一対の側面パネル１２間に架け渡され、天壁３３を構成する。天面パネル２１は、図２に示すように、略方形状である。
【００４０】
また、当該衝立用シート材は、図３に示すように、組立状態で、天壁３３と奥壁３１との間に天面空間３ｃを有する。組立状態で、天面空間３ｃの平面視形状は、天壁３３の後縁と、奥壁３１の内面と、一対の側壁３２の内面で画定される方形状である。この天面空間３ｃにより、天壁３３による外部からの情報遮断効果を維持しつつ、天面からの採光量を確保することができる。なお、「内」及び「外」は、それぞれ衝立の内側及び外側を指す。
【００４１】
天面空間３ｃの幅（左右方向の長さ）は、奥壁３１の幅と等しい。また、天面空間３ｃの奥行（前後方向の長さ）の下限としては、２００ｍｍが好ましく、２２０ｍｍがより好ましい。一方、天面空間３ｃの奥行の上限としては、３００ｍｍが好ましく、２８０ｍｍがより好ましい。天面空間３ｃの奥行が上記下限未満であると、天面空間３ｃからの採光量が不十分となるおそれがある。逆に、天面空間３ｃの奥行が上記上限を超えると、天壁３３による外部からの情報遮断効果が不十分となるおそれがある。
【００４２】
天面パネル２１の幅（左右方向の長さ）は、奥壁３１の幅と等しい。また、天面パネル２１の長さ（前後方向の長さ）は、側面パネル１２の幅から天面空間３ｃの奥行を減じた長さとされる。このように天面パネル２１の長さをとることで、天面パネル２１の前縁が側面パネル１２の前縁と前後方向の位置が一致するように配置され、内部空間３ａの個室感を高めることができる。
【００４３】
天面パネル２１の前縁は、その中央に位置し奥壁３１方向へ湾曲する弧状部２１ａを有することが好ましい。このように天面パネル２１の前縁の中央に奥壁３１方向へ湾曲する弧状部２１ａを設けることで、天壁３３による外部からの情報遮断効果を維持しつつ、使用者が頭部を内部空間３ａに入れ易くすることができる。
【００４４】
弧状部２１ａの前後方向の最深部の位置としては、天面パネル２１の前縁から８０ｍｍ以上１２０ｍｍ以下が好ましい。また、天面パネル２１の前縁における弧状部２１ａの幅（左右方向の長さ）としては、２７０ｍｍ以上３３０ｍｍ以下が好ましい。
【００４５】
＜第２接続片＞
一対の第２接続片２２は、天面パネル２１の一対の側縁から左右方向（図２のｘ方向）に延出している。一対の第２接続片２２は、組立時に下方に折り曲げられ、第１接続片１３のスリット１３ａと嵌合して、天面パネル２１を衝立３の上面を構成するように固定する。一対の第２接続片２２は、図２に示すように、略方形状であり、同等の大きさとされる。
【００４６】
第２接続片２２の延出長さ（図２のｘ方向の長さ）の下限としては、４０ｍｍが好ましく、４５ｍｍがより好ましい。一方、第２接続片２２の延出長さの上限としては、６０ｍｍが好ましく、５５ｍｍがより好ましい。第２接続片２２の延出長さが上記下限未満であると、天面パネル２１を十分に固定できないおそれがある。逆に、第２接続片２２の延出長さが上記上限を超えると、不要に大きくなり過ぎ、シート材の浪費につながるおそれがある。
【００４７】
第２接続片２２の幅（延出方向と垂直な方向の長さで、図２のｙ方向の長さ）の下限としては、８０ｍｍが好ましく、９０ｍｍがより好ましい。一方、第２接続片２２の幅の上限としては、１２０ｍｍが好ましく、１１０ｍｍがより好ましい。第２接続片２２の幅が上記下限未満であると、天面パネル２１が位置ずれを生じ易くなるおそれがある。逆に、第２接続片２２の幅が上記上限を超えると、これと嵌合するため第１接続片１３のスリット１３ａの長さが長くなり、換言すれば折曲容易線１３ｂの長さが短くなる。このため、第１接続片１３と側面パネル１２との接続強度が不足するおそれがある。
【００４８】
第２接続片２２と天面パネル２１との境界は、天面パネル２１の側縁に平行に延びる折曲容易線２２ａで画定されている。折曲容易線２２ａは、例えば天面パネル２１の側縁に連続して位置してもよいが、図２に示すように、天面パネル２１の側縁よりシート材の厚み程度内側に位置することが好ましい。このように折曲容易線２２ａを位置させることで、第２接続片２２を折り曲げた際に、天面パネル２１の側縁に凹部が形成される。天面パネル２１を取り付けた際に、側面パネル１２の上縁から突出する凸部１３ｄが、この凹部に嵌合し、天面パネル２１が前後方向に位置ずれすることを抑止できる。
【００４９】
＜衝立の使用方法＞
当該衝立用シート材を組み立ててなる衝立３は机上に設置して用いられる。使用者は、この机の前に着座し、頭部を天壁３３の下方に入れ、衝立３の内部空間３ａで作業、例えば学習を行う。
【００５０】
衝立３は、天壁３３と奥壁３１との間に天面空間３ｃを有しているので、この天面空間３ｃから採光され、使用者の前方から内部空間３ａを照らすので、作業を行うに当たって、照明等の付属設備を特に必要としない。
【００５１】
＜利点＞
当該衝立用シート材により組み立てられる衝立３は、奥壁３１、左右の側壁３２及び天壁３３により周囲を取り囲むので、その内部空間３ａに頭部を入れた際、視覚あるいは聴覚により感じ取られる衝立３の外部からの情報が遮断され易く、これらの情報により気が散ることを抑止できる。また、衝立３は、天壁３３と奥壁３１との間に天面空間３ｃを有するので、この天面空間３ｃが採光窓として機能し、頭部を内部空間３ａに入れた使用者の前方より採光することができる。このため、使用者は、内部空間３ａで作業を持続的に行うことができる。従って、当該衝立用シート材を組み立てた衝立３は、使用者の集中力を向上させることができる。
【００５２】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５３】
上記実施形態では、衝立用シート材が衝立本体シート及び天面シートの２枚のシートで構成される場合を説明したが、衝立用シート材のシート数は２枚に限定されるものではなく、奥面パネル、一対の側面パネル及び天面パネルを備える限り、１枚又は３枚以上で構成することもできる。また、衝立用シート材が複数枚のシートで構成される場合、奥面パネル、一対の側面パネル及び天面パネルの各シートへの割付についても、机上に設置して用いる衝立に組立可能である限り、特に限定されない。
【００５４】
上記実施形態では、天面パネルが略方形状である場合を説明したが、天面パネルの形状は方形状に限定されるものではなく、例えば楕円状等の他の形状であってもよい。同様に天面空間の平面視形状も方形状には限定されず、天面パネルの形状等に応じて、他の形状となってもよい。
【００５５】
上記実施形態では、一対の側面パネルが、それぞれ前縁下方に切り欠きを有する場合を説明したが、一対の側面パネルが切り欠きを有さない衝立用シート材も本考案の意図するところである。
【産業上の利用可能性】
【００５６】
以上のように、本考案の衝立用シート材は、使用者、特に発達障害児の集中力を向上させることができる衝立に組立可能である。
【符号の説明】
【００５７】
１  衝立本体シート
１１  奥面パネル
１２  側面パネル
１２ａ  切り欠き
１２ｘ  第１円弧
１２ｙ  第２円弧
１３  第１接続片
１３ａ  スリット
１３ｂ  折曲容易線
１３ｃ  切れ込み
１３ｄ  凸部
２  天面シート
２１  天面パネル
２１ａ  弧状部
２２  第２接続片
２２ａ  折曲容易線
３  衝立
３ａ  内部空間
３ｂ  開口
３ｃ  天面空間
３１  奥壁
３２  側壁
３３  天壁
【図１】
0003232712.tif 000003
【図２】
0003232712.tif 000004
【図３】
0003232712.tif 000005